(57)【要約】【課題】水の溶融塩成分の析出による加湿性能の劣化を抑制し、かつ水由来の腐敗による雑菌やウィルスの拡散や悪臭の発生を抑制することができる加湿装置を得ること。【解決手段】流下する水に下方から上方へ対向する外気流が接触する構成の外気加湿装置１００は、水を供給する水供給手段（給水部）１０と、給水部１０により供給された水を流下させる流下手段１２０と、流下手段１２０の下方近傍に配置された外気流入手段（流入口）１０２ａと、水が流下手段１２０から系外へ流出する水流出部３０とを備え、外気流入手段１０２ａから系内に流入する外気は水流出部３０を通過する。【選択図】図１
2016114348.tif 000002
【特許請求の範囲】
【請求項１】
流下する水に下方から上方へ対向する外気流が接触する構成の外気加湿装置であって、
該水を供給する水供給手段と、
該水供給手段により供給された水を流下させる流下手段と、
該流下手段の下方近傍に配置された外気流入手段と、
該水が該流下手段から系外へ流出する水流出手段と
を備え、
該外気流入手段から系内に流入する外気は該水流出手段を通過する、加湿装置。
【請求項２】
前記流下手段は、水を蒸発させるための１以上の部材で構成された請求項１に記載の加湿装置。
【請求項３】
前記水供給手段は複数の水流出孔を有する請求項１または２に記載の加湿装置。
【請求項４】
前記１以上の部材の各々は、水が滲み込む部材で構成された請求項２または３に記載の加湿装置。
【請求項５】
前記水が滲み込む部材は、多孔質材料で構成された請求項４に記載の加湿装置。
【請求項６】
前記１以上の部材の各々は、水が滲み込まない部材で構成され、
その各々は、その表面に形成された１以上の凹部を有し、前記水供給手段から供給された水が該１以上の凹部に溜まる請求項２または３に記載の加湿装置。
【請求項７】
前記水が滲み込まない部材は、樹脂成型品であり、
その表面には親水性塗料が塗布された請求項６に記載の加湿装置。
【請求項８】
前記１以上の部材は、実質的に水平方向には複数の棒状体を形成し、垂直方向には千鳥状に配置された請求項４から７のいずれか一項に記載の加湿装置。
【請求項９】
前記１以上の部材の各々は、実質的に水平方向には棒状体を形成し、
該棒状体は、前記水供給手段から供給された水を受ける上部平坦面を有し、
該上部平坦面は該水を溜めるための線状溝を長手方向に有し、
該線状溝は少なくとも１つの堰を有する請求項４から７のいずれか一項に記載の加湿装置。
【請求項１０】
前記１以上の部材の各々は、実質的に水平方向には棒状体を形成し、
該棒状体の下端面は長手方向に波型を有する請求項４から７のいずれか一項に記載の加湿装置。
【請求項１１】
前記１以上の部材の各々は、実質的に水平方向に各断面が下方に頂点の位置する略逆三角形形状の棒状体に形成された請求項４から７のいずれか一項に記載の加湿装置。
【請求項１２】
前記水供給手段は、系外からの水を系内に導入するための１以上の給水管を有し、該給水管は略水平に配置され、該給水管の端部開口部を通じて系外から流入した水が該給水管から流出するための前記複数の水流出孔は、該給水管の上端面に形成された、請求項３に記載の加湿装置。
【請求項１３】
前記１以上の給水管は、
その各々の外周面に形成された堰を有する請求項１２に記載の加湿装置。
【請求項１４】
前記外気流入手段は、前記外気が流入する流入口である、請求項１から１３のいずれか一項に記載の加湿装置。
【請求項１５】
外気加湿装置であって、
水を蒸発させるための１以上の部材であって、該１以上の部材が水が滲み込まない材料で構成されかつその表面に水を溜めるための凹部を有する、１以上の部材と、
該１以上の部材に該水を供給する水供給手段と、
外気が流入する流入口と
を備え、
該流入口からの流入外気は任意の方向から該１以上の部材に接触する加湿装置。
【請求項１６】
室内からの排出空気と該室内への流入外気との間で熱交換を行って室内の換気を行う全熱交換器と、
該流入空気を加湿する加湿装置と
を備え、
該加湿装置は請求項１または請求項１５に記載の加湿装置であり、該加湿装置が該流入空気の通路に配置された、換気装置。
【発明の詳細な説明】
【技術分野】
【０００１】
本発明は、加湿装置および換気装置に関し、特に、供給された水に外気流を当てることにより外気を加湿する加湿装置、およびこのような加湿装置を用いた換気装置に関する。
【背景技術】
【０００２】
従来から室内などの乾燥対策として加湿装置が用いられているが、近年は、様々なタイプの加湿装置が開発されて実用化されている。
【０００３】
例えば、特許文献１から特許文献３には、吸水性材質の保水部材を用いた加湿装置が開示され、特許文献４には超音波加湿器が開示され、特許文献５には、空気流の通路内に水を直接噴霧するノズルを配置した加湿装置が開示されている。
【先行技術文献】
【特許文献】
【０００４】
【特許文献１】特開２０１１−１１７７０４号公報
【特許文献２】特開２００６−３１７０１０号公報
【特許文献３】特開平０８−２１９５０４号公報
【特許文献４】特開平０７−２０８７７６号公報
【特許文献５】特開２００５−６９４９７号公報
【発明の概要】
【発明が解決しようとする課題】
【０００５】
特許文献１から３に開示されているように、水を蒸発させるための部材に水を接触させた状態でこの部材に外気流を当てることにより水を蒸発させるタイプの加湿装置では、引用文献４に開示の超音波振動装置を用いた加湿装置や引用文献５に開示の水の噴霧により空気の加湿を行う加湿装置のように、水の溶融塩成分が水と一緒に空気中に放出されたり室内の家電製品などに付着したり人体に悪影響を及ぼしたりすることはなく、外気汚染を発生させないものとして有用である。
【０００６】
しかしながら、このような外気汚染のないタイプの加湿装置では、水を蒸発させるための部材で、蒸発させる水に含まれる難溶性の溶融塩成分が析出することにより加湿性能が低下したり、水由来の腐敗が生ずることにより雑菌やウィルスが拡散したり悪臭が発生したりするという課題があった。
【０００７】
本発明は、上記のような課題を解決するためになされたものであり、水の溶融塩成分の析出による加湿性能の劣化を抑制し、かつ水由来の腐敗による雑菌やウィルスの拡散や悪臭の発生を抑制することができる加湿装置、およびこのような加湿装置を用いた換気装置を提供することを目的とする。
【課題を解決するための手段】
【０００８】
本発明に係る加湿装置は、流下する水に下方から上方へ対向する外気流が接触する構成の外気加湿装置であって、該水を供給する水供給手段と、該水供給手段により供給された水を流下させる流下手段と、該流下手段の下方近傍に配置された外気流入手段と、該水が該流下手段から系外へ流出する水流出手段と、を備え、該外気流入手段から系内に流入する外気は該水流出手段を通過し、そのことにより上記目的が達成される。
【０００９】
本発明の１つの実施形態では、前記流下手段は、水を蒸発させるための１以上の部材で構成されていてもよい。
【００１０】
本発明の１つの実施形態では、前記水供給手段は複数の水流出孔を有していてもよい。
【００１１】
本発明の１つの実施形態では、前記１以上の部材の各々は、水が滲み込む部材で構成されていてもよい。
【００１２】
本発明の１つの実施形態では、前記水が滲み込む部材は、多孔質材料で構成されていてもよい。
【００１３】
本発明の１つの実施形態では、前記１以上の部材の各々は、水が滲み込まない部材で構成され、その各々は、その表面に形成された１以上の凹部を有し、前記水供給手段から供給された水が該１以上の凹部に溜まってもよい。
【００１４】
本発明の１つの実施形態では、前記水が滲み込まない部材は、樹脂成型品であり、その表面には親水性塗料が塗布されていてもよい。
【００１５】
本発明の１つの実施形態では、前記１以上の部材は、実質的に水平方向には複数の棒状体を形成し、垂直方向には千鳥状に配置されていてもよい。
【００１６】
本発明の１つの実施形態では、前記１以上の部材の各々は、実質的に水平方向には棒状体を形成し、該棒状体は、前記水供給手段から供給された水を受ける上部平坦面を有し、該上部平坦面は該水を溜めるための線状溝を長手方向に有し、該線状溝は少なくとも１つの堰を有していてもよい。
【００１７】
本発明の１つの実施形態では、前記１以上の部材の各々は、実質的に水平方向には棒状体を形成し、該棒状体の下端面は長手方向に波型を有していてもよい。
【００１８】
本発明の１つの実施形態では、前記１以上の部材の各々は、実質的に水平方向には各断面が下方に頂点の位置する略逆三角形形状の棒状体に形成されていてもよい。
【００１９】
本発明の１つの実施形態では、前記水供給手段は、系外からの水を系内に導入するための１以上の給水管を有し、該給水管は略水平に配置され、該給水管の端部開口部を通じて系外から流入した水が該給水管から流出するための前記複数の水流出孔は、該給水管の上端面に形成されていてもよい。
【００２０】
本発明の１つの実施形態では、前記１以上の給水管は、その各々の外周面に形成された堰を有していてもよい。
【００２１】
本発明の１つの実施形態では、前記外気流入手段は、前記外気が流入する流入口であってもよい。
【００２２】
本発明に係る加湿装置は、外気加湿装置であって、水を蒸発させるための１以上の部材であって、該１以上の部材が水が滲み込まない材料で構成されかつその表面に水を溜めるための凹部を有する、１以上の部材と、該１以上の部材に該水を供給する水供給手段と、外気が流入する流入口とを備え、該流入口からの流入外気は任意の方向から該１以上の部材に接触し、そのことにより上記目的が達成される。
【００２３】
本発明に係る換気装置は、室内からの排出空気と該室内への流入空気との間で熱交換を行って室内の換気を行う全熱交換器と、該流入空気を加湿する加湿装置とを備え、該加湿装置は上述した本発明に係る加湿装置であり、該加湿装置が該流入空気の通路に配置され、そのことにより上記目的が達成される。
【発明の効果】
【００２４】
本発明によれば、水の溶融塩成分の析出による加湿性能の劣化を抑制し、かつ水由来の腐敗による雑菌やウィルスの拡散や悪臭の発生を抑制することができる加湿装置、およびこのような加湿装置を用いた換気装置を提供することができる。
【図面の簡単な説明】
【００２５】
【図１】図１は本発明の実施形態１による加湿装置１００を説明するための図であり、図１（ａ）は加湿装置の外観を示し、図１（ｂ）は加湿装置の構成を模式的に示す。
【図２】図２は図１に示す加湿装置１００の内部の構造を示す斜視図である。
【図３】図３は図１に示す加湿装置の水蒸発用部材２０の具体的な構造を示す図であり、図３（ａ）は斜視図、図３（ｂ）は、図３（ａ）のＢ−Ｂ線部分の断面図である。
【図４】図４は図２に示す加湿装置１００の内部の構造を説明するための図であり、図４（ａ）は図２の矢印Ａで示す方向から見た加湿装置１００の内部の構造を示し、図４（ｂ）は、図４（ａ）のＣ−Ｃ線断面の構造を示す。
【図５】図５は、図２に示す水流出部３０を説明するための平面図であり、図５（ａ）は、水流出部の集水部３０ａを上方から見た構造を示し、図５（ｂ）は、水流出部の水路部３０ｂを上方から見た構造を示している。
【図６】図６は、図２に示す水流出部を説明するための図であり、図６（ａ）、図６（ｂ）、図６（ｃ）は、集水部の各受皿の構造を水路部とともに示す平面図であり、図６（ｄ）、図６（ｅ）、図６（ｆ）は、図６（ａ）のＤ−Ｄ線断面、図６（ｂ）のＥ−Ｅ線断面、図６（ｃ）のＦ−Ｆ線断面の構造を示している。
【図７】図７は、実施形態１の加湿装置を既存の換気ダクトに取り付けて利用する形態を説明するための図であり、既存の換気ダクト（図７（ａ））、既存の換気ダクトに加湿装置を取り付ける方法（図７（ｂ））、既存の換気ダクトに加湿装置を取り付けた状態（図７（ｃ））を示している。
【図８】図８は、実施形態１の加湿装置の動作を説明する図であり、加湿装置内での空気の流れと水の流れを示す。
【図９】図９は、実施形態１の加湿装置で水が蒸発するメカニズムを説明するための図であり、図９（ａ）は散水状態で水と空気流との接触により水が蒸発する様子を示し、図９（ｂ）は散水停止直後の状態で水と空気流との接触により水が蒸発する様子を示し、図９（ｃ）は散水停止後しばらく時間が経過した状態で水と空気流との接触により水が蒸発する様子を示す。
【図１０】図１０は、実施形態１の変形例１による加湿装置における水蒸発用部材を示す斜視図である。
【図１１】図１１は、実施形態１の変形例２による加湿装置における水蒸発用部材を示す斜視図（図１１（ａ））および平面図（図１１（ｂ））である。
【図１２】図１２は、実施形態１の変形例３による加湿装置における水蒸発用部材を示す断面図である。
【図１３】図１３は、実施形態１の変形例４による加湿装置における水蒸発用部材を説明するための図であり、図１３（ａ）は、複数の水蒸発用部材を含む水蒸発用部材ユニットを示す平面図、図１３（ｂ）、図１３（ｃ）、図１３（ｄ）はそれぞれ、図１３（ａ）におけるＧｂ−Ｇｂ線断面図、Ｇｃ−Ｇｃ線断面図、Ｇｄ−Ｇｄ線断面図であり、図１３（ｅ）は、水蒸発用部材の断面図である。
【図１４】図１４は、実施形態１の変形例５による加湿装置で用いる水蒸発用部材を熱可塑性樹脂の射出成型により形成するプロセスを説明する図であり、図１４（ａ）〜図１４（ｃ）は水蒸発用部材の射出成型の手順を示している。
【図１５】図１５は、実施形態１の変形例６、７による加湿装置を説明するための図であり、図１５（ａ）は上端面に水流出孔を形成した給水管（変形例６）を示し、図１５（ｂ）は水蒸発用部材２０の配置領域上の全体に広がるように折り曲げた１つの給水管（変形例７）を示す。
【図１６】図１６は、実施形態１の変形例８による加湿装置を説明するための図であり、加湿装置の給水部７００の構造を示している。
【図１７】図１７は、給水管を構成する給水枝管（図１６のＸ部分）を説明するための図であり、図１７（ａ）は、給水枝管を拡大して示し、図１７（ｂ）は、図１７（ａ）のＹａ−Ｙａ線断面の構造を示し、図１７（ｃ）は、図１７（ｂ）のＹｂ−Ｙｂ線断面の構造を示す。
【図１８】図１８は、本発明の実施形態２による加湿装置８００を説明するための図であり、図１８（ａ）は、加湿装置の外観を示し、図１８（ｂ）は、加湿装置の構成を模式的に示している。
【図１９】図１９は、本発明の実施形態３による換気装置を説明するための図であり、全熱交換器に加湿装置を組み合わせて得られた換気装置の構成を模式的に示す。
【発明を実施するための形態】
【００２６】
本発明は、超音波や噴霧ノズルで水を噴霧するタイプではなく、水を蒸発させるための部材に水を接触させた状態でこの部材に外気流を当てることにより水を蒸発させるタイプの加湿装置を対象とする。
【００２７】
このタイプの加湿装置では、超音波や噴霧ノズルで水を噴霧するタイプの加湿装置のように、水が液体の状態で外気流に乗って移動することがほとんどないので、水の溶融塩成分が水と一緒に空気中に放出してしまうことはほとんどない。しかしながら、水の溶融塩成分の析出という課題と、水由来の腐敗という課題との２つの課題がある。
【００２８】
本発明の加湿装置では、供給された水を流下させる流下手段と、該流下手段の下方近傍に配置された外気流入手段とを備え、該流下手段によって流下する水に下方から上方へ対向する外気流が接触する構成とすることにより、流下する水と外気流とが接触したところで水の蒸発が起こることで、水が枯れにくいところで水の蒸発が起こることになる。これにより水の溶融塩成分の析出が抑制される。また、該流下手段により水が流下されることにより水が同一の場所に停滞することなく流れることで、水由来の腐敗が抑制される。これにより上記２つの課題が解決される。
【００２９】
さらに、本発明の加湿装置では、供給された水を蒸発させるための１以上の部材と、該１以上の部材に水を供給する水供給手段とを備え、１以上の部材を水が滲み込まない材料で構成し、外気の流入口からの流入外気が任意の方向から該部材に接触するようにすることにより、水が供給されかつ流入外気が接触する該部材に水が滲み込むことはなく、これにより該部材の内部で水の溶融塩成分が析出したり水由来の腐敗が生じたりするのが回避される。これにより上記２つの課題が解決される。また、この部材を水が滲み込まない材料で構成したことによるこの部材での貯水量の低下は、水を蒸発させるための１以上の部材をその表面に水を溜めるための凹部を有する構成とすることにより抑制される。
【００３０】
なお、本願明細書では、「水が滲み込まない部材」とは、「水が部材に滲み込まない」という性質を有する部材をいう。「水が部材に滲み込まない」とは、マクロ的に見ると水が部材の内部に入り込まないことをいう。ここで、ミクロ的に見ると水が部材に接触した状態で水が部材の表層部分に入り込むことになるが、このことを水が部材に滲み込むとはいわないものとする。
【００３１】
「水が部材に滲み込む」とは、マクロ的に見ると水が部材の内部に入り込むことをいい、ミクロ的に見ると水が上記表層部分を超えて部材の内部に入り込むことをいう。「水が部材に滲み込む」という性質を有する部材を「水が滲み込む部材」という。
【００３２】
以下、本発明の実施形態について図面を参照しながら説明する。
【００３３】
（実施形態１）
図１は、本発明の実施形態１による加湿装置を説明するための図であり、図１（ａ）は、加湿装置の外観を示し、図１（ｂ）は、加湿装置の構成を模式的に示している。図２は、図１に示す加湿装置１００の内部の構造を示す斜視図である。
【００３４】
この加湿装置１００は、流下する水Ｗに下方から上方へ対向する外気流Ａｆが接触する構成の外気加湿装置である。この加湿装置１００は、水Ｗを供給する水供給手段（給水部）１０と、給水部１０により供給された水を流下させる流下手段１２０と、流下手段１２０の下方近傍に配置された外気流入手段（外気流入口）１０２ａと、水が流下手段１２０から系外（加湿装置外）へ流出するように構成した水流出手段（水流出部）３０とを備えている。この加湿装置１００では、外気流入口１０２ａから系内（加湿装置内）に流入する外気Ａｄは水流出手段（水流出部）３０を通過する。
【００３５】
ここで、給水部１０、流下手段１２０、水流出部３０は、加湿装置１００の筐体１００ａ内に、流下手段１２０の上側に給水部１０が位置し、流下手段１２０の下側に水流出部３０が位置するよう配置されている。筐体１００ａの底面部１０２には、外気流入手段１０２ａを構成する外気流入口が形成され、筐体１００ａの上面部１０１には、筐体１００ａから外気を流出させるための外気流出口１０１ａが形成されている。
【００３６】
以下、これらの機構を詳しく説明する。
【００３７】
（流下手段１２０）
流下手段１２０は、給水部１０から供給された水を筐体１００ａ内で流下させるものであり、給水部１０により供給された水を蒸発させるための複数の部材（以下、水蒸発用部材という。）２０で構成されている。なお、流下手段１２０を構成する水蒸発用部材は構成の簡略化のため１つとしてもよいが、ここでは、流下手段１２０は、水の蒸発効率が高まるように複数の水蒸発用部材２０で構成されている。
【００３８】
具体的には、複数の水蒸発用部材２０の各々は棒状体で構成されており、この水蒸発用部材２０は、筐体１００ａ内に加湿装置１００の奥行方向Ｚに平行に、かつ水平方向Ｈおよび垂直方向Ｖに複数配置されている。ここでは、複数の水蒸発用部材２０を奥行方向（軸方向）Ｚから見たときのこれらの水蒸発用部材２０の配列は千鳥状配列となっている。さらに、水蒸発用部材２０としての棒状体は、水が滲み込む部材（例えば、発泡性材料、多孔性焼結体などの多孔質材料）で構成されている。
【００３９】
このような構成の流下手段１２０では、その上側に位置する給水部１０から供給された水は、流下手段１２０を構成する複数の水蒸発用部材２０の各々で受け止められ、各水蒸発用部材２０で受け止められた水の一部は、各水蒸発用部材２０の内部に入り込んで水蒸発用部材２０の内部を通って各水蒸発用部材２０の下端部へ向かって流れ、各水蒸発用部材２０の下端部から流れ落ちる。あるいは、各水蒸発用部材２０で受け止められる水の一部は、各水蒸発用部材２０の内部に入り込むことなく、その表面を伝って各水蒸発用部材２０の下端部に流れ、各水蒸発用部材２０の下端部から流れ落ちてもよい。１つの水蒸発用部材２０から流れ落ちた水は、その下側に水蒸発用部材２０がある場合はこの下側の水蒸発用部材２０でさらに受け止められ、その下側に水蒸発用部材２０がない場合は、水流出部３０に流れ落ちる。
【００４０】
ここで、水蒸発用部材２０に受け止められた水が、水蒸発用部材２０の内部に入り込んでその内部を通って水蒸発用部材２０の下端部に向かって流れる速度、あるいは水蒸発用部材２０に受け止められた水が、その内部に入り込むことなくその表面を伝わって水蒸発用部材２０の下端部に向かって流れる速度は、給水部１０から供給された水が重力により自然落下する速度より遅い。従って、水は水蒸発用部材２０に受け止められるたびに上方から下方に移動する速度が減速され、流下手段１２０により流下させられる水は、筐体１００ａ内で重力により自然落下する水に比べて筐体１００ａ内に長い時間滞在することができるようになっている。
【００４１】
図３（ａ）は水蒸発用部材２０の具体的な構造を示す斜視図、図３（ｂ）は図３（ａ）のＢ−Ｂ線部分の断面図である。
【００４２】
水蒸発用部材２０としての棒状体は、図３（ａ）、（ｂ）に示すように、給水部１０からの流下水Ｗを受ける上部平坦面２０ａを有する。上部平坦面２０ａの中央には長手方向に沿って線状溝（中央凹状溝）２１が形成され、中央凹状溝２１の両側には長手方向に沿って側縁切欠溝２３ａ、２３ｂが形成されている。中央凹状溝２１とその両側の側縁切欠溝２３ａ、２３ｂとの間には線状突起部２２ａ、２２ｂが形成されている。これにより給水部１０からの水Ｗがこれらの溝２１、２３ａ、２３ｂに一時的に溜り、ここに溜まった水は徐々に水蒸発用部材２０に滲み込むようになっている。ここで、棒状体の直径は例えば８ｍｍとしているが、これ以上でもあるいは以下でもよい。
【００４３】
なお、水蒸発用部材２０としての棒状体は、上述したように水が滲み込む部材により構成したものに限定されない。水蒸発用部材２０としての棒状体は、水が滲み込まない部材（例えば、プラスチック成型品）により構成したものでもよい。このように水蒸発用部材として水の滲み込まない部材を用いると、水蒸発用部材２０で溜めることができる水量（貯水量）が低下する。水蒸発用部材２０の表面に凹部を形成しておくことにより、水蒸発用部材を水の滲み込まない部材で構成することで低下する貯水量を補うことが可能である。なぜなら、給水部１０から供給された水が凹部に溜まることになることからである。
【００４４】
（給水部１０）
図４（ａ）は、図２の矢印Ａの方向から見た加湿装置１００の内部の構造を示し、図４（ｂ）は、図４（ａ）のＣ−Ｃ線断面の構造を示す。
【００４５】
給水部１０は、図４（ａ）、（ｂ）に示すように、加湿装置外（系外）からの水を加湿装置内（系内）に導入するための複数の給水管１０ａを有し、複数の給水管１０ａは略水平に配置されている。各給水管１０ａの下端面には水流出孔である散水ノズル１０ｂが所定のピッチで取り付けられている。各給水管１０ａは、水供給パイプ１ａを介して水道管１に接続されている。水供給パイプ１ａの途中には、水蒸発用部材２０への給水量を調節する電磁弁が給水制御弁Ｖ１として取り付けられている。水供給パイプ１ａと水道管１との接続部分には、図１に示すように、水道管１での水圧に対して水供給パイプ１ａでの水圧を減圧する減圧弁Ｖ２が取り付けられている。加湿装置１００は、給水制御弁Ｖ１としての電磁弁を開閉制御する制御部１１０を有する。
【００４６】
（水流出部３０）
図５は、水流出部３０を説明するための平面図であり、図５（ａ）および（ｂ）はそれぞれ、水流出部の集水部３０ａおよび水流出部の水路部３０ｂを図２の矢印Ａの方向から見た構造を示す。
【００４７】
水流出部３０は、複数の水蒸発用部材２０から流れ落ちた水を集める集水部３０ａと、集水部３０ａで集めた水が加湿装置１００の筐体１００ａの外部に流出するようにした水路部３０ｂとを有する。
【００４８】
集水部３０ａは、例えば、図２、図４（ｂ）および図５（ａ）に示すように、複数の水蒸発用部材２０から流れ落ちた水を受ける３つの受皿３１ａ、３２ａ、３３ａを有する。３つの受皿３１ａ、３２ａ、３３ａは同心円状に重ねて配置され、下側のものほど直径が大きくなっている。最も下側に位置する下受皿３３ａおよびその上に位置する中受皿３２ａはそれぞれ、中央に空気流を通過させるための通気開口３３１および３２１を有している。最も上側に位置する上受皿３１ａの中央には、上受皿３１ａで集めた水を上受皿３１ａの下側へ流すための排水穴３１１が形成されている。
【００４９】
水路部３０ｂは、図２、図４（ｂ）および図５（ｂ）に示すように、上受皿３１ａの排水穴３１１から流れ落ちた水を受ける水受部３１ｂと、水受部３１ｂから四方に延びる４つの樋部３２ｂとを有する。この樋部３２ｂ上には、中受皿３２ａ、下受皿３３ａに形成された排水穴３２２、３３２（図４（ｂ））が位置している。なお、樋部３２ｂの数は４つに限定されるものではなく、３つ以下でも５つ以上であってもよい。樋部３２ｂの下流側端は、筐体１００ａの下面部１０２に形成された水溜部１０２ｂ上に位置している。
【００５０】
図６（ａ）、図６（ｂ）、図６（ｃ）は、集水部３０ａの各受皿３３ａ、３２ａ、３１ａの構造を水路部３０ｂとともに示す平面図であり、図６（ｄ）、図６（ｅ）、図６（ｆ）は、図６（ａ）のＤ−Ｄ線断面、図６（ｂ）のＥ−Ｅ線断面、図６（ｃ）のＦ−Ｆ線断面の構造を示している。
【００５１】
下受皿３３ａは、図６（ａ）および図６（ｄ）に示すように、中央が開口した環状の皿本体３３ａ０を有し、皿本体３３ａ０の外側がその内側に対して高くなるように傾斜している。皿本体３３ａ０の内側端には、斜め上方に向けて折り返した内縁部３３ａ１が形成されており、皿本体３３ａ０の外側端には斜め下方に向けて折り返した外縁部３３ａ２が形成されている。下受皿３３ａでは、内縁部３３ａ１と皿本体３３ａ０との境界部分にリング状谷部が形成されており、このリング状谷部の、水路部３０ｂの各樋部３２ｂの直上に位置する部分には、下受皿３３ａから樋部３２ｂに水を落とすための排水穴３３２が形成されている。
【００５２】
中受皿３２ａも下受皿３３ａと同様、図６（ｂ）および図６（ｅ）に示すように、環状形状の皿本体３２ａ０、内縁部３２ａ１、および外縁部３２ａ２を有し、内縁部３２ａ１と皿本体３２ａ０との境界部分にリング状谷部が形成されており、このリング状谷部の、水路部３０ｂの各樋部３２ｂの直上に位置する部分には排水穴３２２が形成されている。
【００５３】
上受皿３１ａは、図６（ｃ）および図６（ｆ）に示すように、逆円錐形状の皿本体３１ａ０および外縁部３１ａ２を有し、上受皿３１ａに溜まった水が、上受皿３１ａの中心に形成された排水穴３１１から水受部３１ｂに落ちるようになっている。これらの３つの受皿は、上下の皿の間から水が落下しないように、少なくとも下受皿３３ａの内縁部３３ａ１と中受皿３２ａの外縁部３２ａ２とが重なり、かつ中受皿３２ａの内縁部３２ａ１と上受皿３１ａの外縁部３１ａ２とが重なるように構成されている。
【００５４】
次に、実施形態１の加湿装置１００の利用方法を説明する。
【００５５】
この加湿装置１００は、加湿装置１００内を通過する空気流を発生する動力源を有していないので、換気装置や換気扇が発生する空気流の経路に配置することにより利用される。
【００５６】
ここでは、集合住宅における換気システムの換気ダクトの途中に加湿装置１００を組み込んで利用する場合を説明する。
【００５７】
図７（ａ）は、既存の換気ダクトの分岐部分を示している。
【００５８】
例えば、集合住宅における換気システムでは、換気ダクト２００は、送風装置（図示せず）に接続された基幹ダクト２０１と、基幹ダクト２０１から分岐して各部屋（図示せず）へ空気を送る複数の枝ダクト２０２とを有する。基幹ダクト２０１と枝ダクト２０２とは、基幹ダクト２０１のダクト径を拡張する円錐台形状の分岐部２０３を介して連結されている。
【００５９】
ここでは、分岐部２０３から枝ダクト２０２が取り外され、図７（ｂ）に示すように、分岐部２０３の上面上に加湿装置１００が、分岐部２０３からの空気流が加湿装置１００の筐体１００ａ内を通過するように配置される。筐体１００ａの上面部１０１には、外気流出口１０１ａを塞ぐように蓋部材２１０が装着される。蓋部材２１０は、筐体１００ａに被さる蓋本体２１１と、蓋本体２１１に取り付けられた筒状の複数のダクト連結部２１２とを有する。それぞれのダクト連結部２１２には、図７（ｃ）に示すように、分岐部２０３から取り外された枝ダクト２０２の端部が嵌合装着される。
【００６０】
これにより、集合住宅などの換気システムにおいて加湿装置１００が利用可能な状態となる。
【００６１】
換気システムの送風装置（図示せず）が駆動すると、換気ダクト２００には空気流が発生し、送風装置から送り出された空気流は基幹ダクト２０１から分岐部２０３を経て加湿装置１００内を通過し枝ダクト２０２に至る。このように加湿装置１００を経由して換気ダクト２００を流れる空気流は加湿装置１００内で加湿される。
【００６２】
なお、加湿装置が利用する空気流を発生させる装置は、上述した集合住宅などの建物の換気システムに限定されるものではなく、換気扇やエアコンディショナーなどでもよく、さらには、送風羽をモータで駆動する送風ファンでもよい。さらに送風ファンは、加湿装置１００に内蔵されてもよい。
【００６３】
また、換気システムでは、換気ダクト２００内での空気流の流速が加湿装置１００での空気の加湿に適切な流速になっているとは限らず、加湿に適切な流速より速い場合や遅い場合がある。
【００６４】
そこで、換気ダクト２００には、その分岐部２０３から加湿装置１００に流入する空気流の流速が加湿装置１００での加湿に適した流速となるようにこの空気流の流速を調整する機構が設けられていてもよい。このような空気流の流速の調整機構は、例えば、分岐部２０３の加湿装置１００の近傍に位置する部分に設けられた回動可能なダンパーを備え、分岐部２０３を通過する空気流の経路の断面積をこのダンパーの回転角度により調整することにより、加湿装置１００に流入する空気流の流速を調整するものでもよい。
【００６５】
以下、加湿装置１００内で空気が加湿されるメカニズムを説明する。
【００６６】
図８は、実施形態１の加湿装置の動作を説明する図であり、加湿装置内での空気の流れと水の流れを示す。図９は、実施形態１の加湿装置で水が蒸発するメカニズムを説明するための図であり、図９（ａ）は散水状態で水と空気流との接触により水が蒸発する様子を示し、図９（ｂ）は散水停止直後の状態で水と空気流との接触により水が蒸発する様子を示し、図９（ｃ）は散水停止後しばらく時間が経過した状態で水と空気流との接触により水が蒸発する様子を示す。
【００６７】
図７（ｃ）に示すように換気ダクト２００の途中に配置された加湿装置１００の筐体１００ａ内に、換気ダクト２００内を流れる空気流が外気流入口１０２ａから流入すると、空気流Ａｄは水流出部３０における上下の受皿３２ａと受皿３３ａとの隙間、および上下の受皿３１ａと受皿３２ａとの隙間や、受皿３２ａ、３３ａの通気開口３２２、３３２を通過して流下手段１２０に至る。これにより流下手段１２０では下方から上方に向かう空気流Ａｆが形成される。
【００６８】
この状態で、制御部１１０が給水制御弁Ｖ１を制御することにより、給水管１０ａのノズル１０ｂから水を散水する散水状態と、水の散水を行わない散水停止状態とが繰り返される。図８に示すように、散水状態では、複数の給水管１０ａに設けられた複数の給水ノズル１０ｂから、流下手段１２０を構成する複数の水蒸発用部材２０に向けて水Ｗが散水され、図９（ａ）に示すように水蒸発用部材２０に水Ｗが供給される。
【００６９】
水蒸発用部材２０に供給された水Ｗは、水蒸発用部材２０に滲み込むが、散水状態で個々の水蒸発用部材２０へ供給される時間当たりの水量は、水蒸発用部材２０に水が滲み込む時間当たりの水量より多いので、供給された水は水蒸発用部材２０の中央凹状溝２１および側縁切欠溝２３ａ、２３ｂに溜まり、さらにこれらの溝から溢れ出す。
【００７０】
水蒸発用部材２０に滲み込んだ水は、矢印Ｐで示すように水蒸発用部材２０の内部を流下して水蒸発用部材２０の下端から流れ落ちる。中央凹状溝２１および側縁切欠溝２３ａ、２３ｂに溜まった水は徐々に水蒸発用部材２０に滲み込み、水蒸発用部材２０の内部を流下して水蒸発用部材２０の下端から流れ落ちる。さらに上記溝から溢れた水は、水蒸発用部材２０の表面を流下して水蒸発用部材２０の下端に集まり、水蒸発用部材２０の下端から流れ落ちる。
【００７１】
このように水蒸発用部材２０に供給された水が流下する状態では、筐体１００ａ内を下方から上方に向かう空気流Ａｆは、水蒸発用部材２０を流下する水を主として水蒸発用部材２０の下端部２４で蒸発させる。
【００７２】
散水が停止すると、その直後の状態（図９（ｂ））は言うまでもないが、散水停止からしばらく時間が経過した状態（図９（ｃ））でも、散水状態で水蒸発用部材２０に滲み込んだ水が矢印Ｐで示すように水蒸発用部材２０の内部を流下して水蒸発用部材２０の下端面から流出している。このため、散水状態と同様に、流下する水に下方から上方へ対向する空気流Ａｆは、水蒸発用部材２０に滲み込んでいる水を主として水蒸発用部材２０の下端部２４で蒸発させる。
【００７３】
このように供給された水を主として水蒸発用部材２０の下端部２４で蒸発させることにより、溶融塩成分の析出を抑えることができる。
【００７４】
簡単に説明すると、水蒸発用部材２０の下端部２４では、水蒸発用部材２０の下端部より上側の部分に比べて水が枯れにくい。なぜなら、散水停止から時間が経過するにつれて、中央凹状溝２１および側縁切欠溝２３ａ、２３ｂに溜まった水は水蒸発用部材２０に滲み込み、さらに水蒸発用部材２０に滲み込んだ水は下端面から流出していくので、水蒸発用部材２０では、その上部から徐々に水が枯れていくが、最後まで水が枯れないのは、図９（ｃ）に示すように、滲み込んだ水が集まってくる水蒸発用部材２０の下端部２４であるからである。また、水の溶融塩成分の析出は水が乾ききったところで生ずる。従って、水蒸発用部材２０の下端部２４の表面である下端面で水が蒸発しても溶融塩成分が発生しにくく、このため、水蒸発用部材２０に滲み込んでいる水を主として水蒸発用部材２０の下端面で蒸発させることにより、溶融塩成分の析出を抑えることができる。
【００７５】
その後、水蒸発用部材２０の内部にある程度の水道水Ｗが残っている間に、給水制御弁Ｖ１の開閉制御により、散水が再開される。この散水により、水蒸発用部材２０に溜まる水量が最大量まで回復する（図９（ａ））。
【００７６】
さらに、水蒸発用部材２０の内部に滲み込んだ水が流下するときの水流により、あるいは滲み込まずに表面を流下するときの水流により水蒸発用部材２０が洗浄され、水由来の腐敗が低減される。
【００７７】
また、加湿装置１００の筐体１００ａ内には、複数の水蒸発用部材２０が多段に配置されているので、換気ダクト２００からの空気Ａｄは加湿装置１００の複数の水蒸発用部材２０の周囲を流れ、それぞれの水蒸発用部材２０での水の蒸発で生じた水蒸気Ｖａにより十分に加湿されて筐体１００ａの外気流出口１０１ａから流出し、流出した空気Ａｗは、分岐ダクト２０２を通って各室に送られる。
【００７８】
他方、流下手段１２０から流出した水Ｗは、図８に示すように水流出部３０の集水部３０ａで集められ、さらに集水部３０ａで集められた水は、水路部３０ｂを通って筐体１００ａの水溜部１０２ｂに溜まる。水溜部１０２ｂに溜まった水は、水流出パイプ１０３から加湿装置１００の筐体１００ａの外部に流出する。
【００７９】
以下、制御部１１０による散水制御の例について説明する。
【００８０】
例えば、加湿装置１００の運転開始時には、２分間継続して散水が行われる。これにより、水蒸発用部材２０の上部から下部へと水は流れ落ち、長期間の停止で乾いているおそれのある水蒸発用部材２０の全表面が濡れ、水蒸発用部材２０での水の蒸発により、加湿装置１００に吸入された外気の加湿が可能となる。なお、運転開始のときなど長期間停止していたことが想定される時には、最初の散水時間を、継続運転中に散水と散水停止とを繰り返し行うときの散水時間より２倍以上長くすることが望ましい。
【００８１】
その後、例えば、３分間の間、散水が停止されるが、その間も水蒸発用部材２０に滲み込んで水蒸発用部材２０に残っている水で空気の加湿が継続される。その後は、例えば、６秒間の散水が行われ、水蒸発用部材２０に水が補給された後、３分間の間、散水が停止される。継続運転状態では、６秒間の散水と３分間の散水停止とが繰り返される。散水停止の３分間の間に、水蒸発用部材２０に残っている水は、その蒸発により減少するが、その間も、外気の加湿は、水蒸発用部材２０に残っている水の継続した蒸発により続行される。
【００８２】
このように散水時間を制御する方法は、加湿装置を用いて加湿しようとする外気の湿度を制御するのに最も簡便で確実であり、特に、６秒間散水し３分間散水停止する散水制御により、外気の最大加湿量（１００％の加湿量）が実現される場合、６秒間散水し１０分間停止する散水制御では、外気の加湿量を最大加湿量の６０％程度にすることが可能である。
【００８３】
また、散水時間と散水停止時間とを繰り返す制御モードを、６秒間の散水と３分間の散水停止とを繰り返す制御モードから、３秒間の散水と５分間の散水停止とを繰り返す制御モードに切り替えると、外気の加湿量をほぼ１／２にすることも可能である。
【００８４】
なお、この散水時間制御は、室内空気の湿度と居住者が設定した目標湿度との差に基づいて予め定められた制御モードを選定することにより適切なものとできる。また、室内湿度が設定湿度より高い場合は、散水は停止され、逆に室内湿度が大幅に低いときは６秒間の散水、３分間の散水停止を繰り返すフル加湿モードが選択されてもよい。さらに、加湿装置では、加湿する外気の湿度が検知され、検知結果に応じて制御モードが選択されるようにしてもよい。
【００８５】
このような構成の実施形態１の加湿装置１００では、以下の効果が得られる。
【００８６】
（１）水蒸発用部材での溶融塩成分の析出や水由来の腐敗の抑制
実施形態１の加湿装置１００では、流下手段１２０は、供給された水を蒸発させるための複数の水蒸発用部材２０で構成され、供給された水の一部は個々の水蒸発用部材２０に滲み込んで内部を流下し、供給された水の他の一部は滲み込まずに表面を流下して水蒸発用部材２０の下端部２４に集まるようになっているので、この下端部２４は散水停止状態でも水が流下することで水が枯れにくいところとなり、その水が枯れにくい下端部２４に下方から上方に向かう外気流が当たることになる。従って、水と外気流との接触による水の蒸発は水の枯れにくい水蒸発用部材２０の下端部２４で主に生ずることとなって、水蒸発用部材での水の蒸発に伴う溶融塩成分の析出を抑制することができる。このため、長期間の運転でも、溶融塩成分の固形化による加湿性能の劣化が起こりにくくなる。
【００８７】
また、運転中は、水蒸発用部材２０では水が流下しているので、水蒸発用部材２０での水の滞留による黴や雑菌の繁殖など水由来の腐敗を抑制することができる。さらに、運転停止中に発生した雑菌などは、運転開始により水蒸発用部材２０を流れる水により洗浄される。
【００８８】
さらに、水蒸発用部材２０に供給された水の自然蒸発により外気の加湿を行うので、水が液体の状態で空気中に排出されることはなく、外気をスケール（溶融塩成分の析出物）などで汚すことはない。しかも、水蒸発用部材２０へ供給する水は水道水であるので、加湿装置１００の運転状況により水蒸発用部材２０に水が滞留することがあっても、雑菌による汚染の危険渡が低く、水のスケールによる被害も受けにくい。
【００８９】
さらに、水蒸発用部材は棒状の簡単な構造になっているため、水蒸発用部材を纏めて交換することも簡単であり、スケールや黴の発生などの問題があって水蒸発用部材を交換するときに手間がかからない。
【００９０】
（２）加湿装置１００に溜めることのできる水量の増大など
棒状の水蒸発用部材の断面が単純な円形である場合、散水された水は水蒸発用部材２０に留まることなく、水蒸発用部材２０の下端面に集まり落下してしまうことから、水蒸発用部材２０に溜まる水の量は少なくなり、水に濡れずに地肌の露出する部分が多くなる。
【００９１】
これに対し、実施形態１では、水蒸発用部材２０の上面部には、長手方向に沿って中央凹状溝２１が設けられ、さらに線状溝２１の両側にも側縁切欠溝２３ａ、２３ｂが設けられており、全面にシリコンベースの親水性塗料が塗られている。これにより、棒状の水蒸発用部材２０では、散水された水が、水蒸発用部材２０の長手方向に広がり易くなっており、しかも、水蒸発用部材２０の表面では、散水された水を溜めるスペースも増大している。さらに水蒸発用部材２０には水が滲み込む。これにより水蒸発用部材２０に溜まる水量を多くできる。このような水蒸発用部材２０は加湿装置１００の筐体１００ａ内に複数（ここでは４３本）設けられている。また、棒状体からなる個々の水蒸発用部材２０は略水平に配置され、複数の水蒸発用部材２０の全体としての配列は、軸方向からみて千鳥状の稠密な配列とされており、水蒸発用部材２０の配列のピッチは上から散水された水が水蒸発用部材２０に触れないで素通りすることのないように設定されている。これにより、加湿装置１００全体に溜めることのできる大きな水量を確保している。
【００９２】
さらに、複数の水蒸発用部材の千鳥状配置においては、水蒸発用部材の縦方向の配列ピッチの調整により、散水された水が水蒸発用部材２０に触れないで素通りするのを回避しつつ、外気の通風に適した配列を選定することができる。その結果、散水により水蒸発用部材を効果的に濡らすことができ、しかも空気流を阻害しない小型コンパクトな構成の加湿装置１００を得ることができる。
【００９３】
（３）加湿装置１００の省エネルギー化
加湿装置１００は、加湿装置１００内を通過する空気流を発生する動力源を有しておらず、換気装置や換気扇などが発生する空気流の経路に配置することにより利用されるので、空気流を発生させるファンなどによるエネルギー消費はない。また、水蒸発用部材２０からの水の蒸発は自然蒸発であるので、水を蒸発させる電気ヒーターなどによる電気エネルギーの使用がない。さらに、給水部１０から水蒸発用部材２０への水の供給は、水道管からの水圧を利用して行うので、給水部１０にはポンプなどによる電気エネルギーの使用がない。その結果、加湿装置の省エネルギー化を図ることができる。
【００９４】
（４）散水時間による水蒸発用部材２０への給水量の制御
加湿装置１００では、給水部１０から水蒸発用部材２０への水の供給量は、制御部１１０が給水制御弁Ｖ１の制御により散水の継続時間と散水の停止時間とのバランスを変化させることにより決定されるので、加湿空間の湿度調整は、給水制御弁Ｖ１の開閉時間の調整で行うことができ、容易である。
【００９５】
しかも、加湿に必要な水量以上の水の使用量を最小化することができる。具体的には、水蒸発用部材２０に溜まる水量を最大にするために必要な時間散水が行われ、その後、散水が停止されるが、水蒸発用部材２０に水が残っており、一定の加湿能力（加湿量）が維持されている間は、散水の再開は行わず、一定の加湿能力が維持できなくなる前に、散水を再開する。この制御により、散水を常に継続した場合に比べて水の流出による水の浪費を削減できる。
【００９６】
なお、運転開始時には、乾燥して撥水性になった水蒸発用部材２０の表面を十分に濡らすために、散水時間を多めに確保し、例えば、継続運転状態では散水時間が数秒であるところ、運転開始時の散水時間を２分間とする方法も有効である。
【００９７】
また、加湿装置１００内に換気ダクトからの空気を遮断するダンパーやバイパス通路が設けられている場合は、運転開始時に散水を行っている間は、水蒸発用部材２０に空気流が当たらないようにし、水蒸発用部材２０の表面全体を濡らすことに専念する方法も有効である。
【００９８】
なお、本発明の加湿装置は、実施形態１で説明した加湿装置１００に限定されるものではなく、以下、実施形態１の変形例について説明する。
【００９９】
（変形例１）
上記実施形態１では、水蒸発用部材２０を構成する棒状体の下端面は平坦な形状であるが、棒状体の下端面は長手方向に波型を有してもよい。図１０はこのような構造の水蒸発用部材２５を示している。
【０１００】
このような構造の水蒸発用部材２５では、下端面の波型部分２５ａの凸部２５ｂに水が溜まる。このため、棒状の水蒸発用部材２５が斜めになっていても水蒸発用部材２５の傾斜方向に水が流れにくく、水蒸発用部材２５に供給された水が水蒸発用部材２５の一端側に集まって落下してしまうのを回避できる。
【０１０１】
（変形例２）
また、実施形態１の水蒸発用部材２０には中央凹状溝２１に堰を設けてもよい。図１１（ａ）、（ｂ）は、このような構造の水蒸発用部材２６を示している。
【０１０２】
このような構造の水蒸発用部材２６では、中央凹状溝２１内に堰２６ａが設けられているため、棒状の水蒸発用部材２６が斜めに傾いていても、中央凹状溝２１では水が堰２６ａにより堰き止められ、水が水蒸発用部材２６の端部から流れ落ちることはない。
【０１０３】
（変形例３）
また、実施形態１の水蒸発用部材２０の断面形状は、図３（ｂ）に示す形状に限定されない。
【０１０４】
例えば、図１２は、他の断面形状を有する水蒸発用部材を示している。
【０１０５】
図１２に示す水蒸発用部材６０は、概ね丸棒形状６０ａを有している。水蒸発用部材６０の上面には、浅い凹型溝６１が形成されており、水蒸発用部材６０の上半側面には、平坦部６２と縦壁部６３とが階段状をなすように形成されている。水蒸発用部材６０の下半側面にはＶ字溝６４、６５が形成され、下面には平坦部６６が形成されている。このように棒状の水蒸発用部材６０の表面の全体にわたって溝を形成することにより、水蒸発用部材６０への給水により水蒸発用部材６０に溜まる水量を増大できる。
【０１０６】
（変形例４）
また、水蒸発用部材は複数組み合わせて１つの水蒸発用部材ユニットを構成してもよい。
【０１０７】
図１３（ａ）は、このような水蒸発用部材ユニットを示す平面図、図１３（ｂ）、図１３（ｃ）、図１３（ｄ）は、それぞれ、図１３（ａ）におけるＧｂ−Ｇｂ線断面図、Ｇｃ−Ｇｃ線断面図、Ｇｄ−Ｇｄ線断面図であり、図１３（ｅ）は、水蒸発用部材ユニットを構成する水蒸発用部材の断面図である。
【０１０８】
ここで、水蒸発用部材ユニット５００ａを構成する水蒸発用部材５０の断面形状は略逆二等辺三角形形状である。この水蒸発用部材５０の上部平坦面５０ａ、線状突起部５２ａ、５２ｂ、中央凹状溝５１、側縁切欠溝５３ａ、５３ｂ、および堰５６は、図１１に示す水蒸発用部材２６の上部平坦面２０ａ、線状突起部２２ａ、２２ｂ、中央凹状溝２１、側縁切欠溝２３ａ、２３ｂ、および堰２６ａに相当する。この水蒸発用部材５０の下端面は、図１０に示す水蒸発用部材２５と同様に長手方向に波型を有している。
【０１０９】
このような構成の水蒸発用部材５０では、その下端面では凸部５５の存在により水が流れにくくなっており、その上端面では中央凹状溝５１内の堰５６により水が堰き止められるので、水蒸発用部材が傾いていても水が水蒸発用部材５０の端部から流れ落ちるのを抑制できる。
【０１１０】
しかも、この水蒸発用部材５０では、断面形状が略逆二等辺三角形形状であり、断面略円形の水蒸発用部材２０と比べると、側面５４に傾斜の急峻な部分がないので、水蒸発用部材５０の上面から溢れた水は水蒸発用部材５０の側面５４を比較的ゆっくり流れる。従って、この水蒸発用部材５０では、断面略円形の水蒸発用部材２０に比べて、その上面から溢れた水が下端面に流れ込む勢いは弱く、水蒸発用部材５０の下端面から水が落下しにくい。
【０１１１】
（変形例５）
さらに、上述した実施形態１の水蒸発用部材２０あるいはその変形例である水蒸発用部材２５、２６、６０、５０の構成材料には、水が滲み込む材料として、発砲性材料や多孔性焼結体に代えて、木粉を混入した熱可塑性樹脂を用いてもよく、この場合は、これらの水蒸発用部材は射出成型により形成可能である。
【０１１２】
図１４は、例えば水蒸発用部材２０を熱可塑性樹脂の射出成型により形成するプロセスを説明する図であり、図１４（ａ）〜図１４（ｃ）は水蒸発用部材２０の射出成型の手順を示している。
【０１１３】
水蒸発用部材２０の成型には、図１４（ａ）に示すように、一対の上下の型枠（上型枠、下型枠という）Ｍａ、Ｍｂを有する射出成型型枠Ｍが用いられる。
【０１１４】
この射出成型型枠Ｍは、上下に分割可能な構造となっている。図１４（ｂ）に示すように、上型枠Ｍａおよび下型枠Ｍｂが熱可塑性樹脂（以下、単に樹脂という。）の成型スペースＳｒが形成されるように重ね合わせられた状態で、加熱により軟化した熱可塑性樹脂が成型スペースＳｒに注入される。この熱可塑性樹脂には木粉が混入されている。次に、樹脂が冷却により固化した後、図１４（ｃ）に示すように、上型枠Ｍａおよび下型枠Ｍｂが引き離されることにより、成型型枠Ｍ内の成型スペースＳｒで成型された熱可塑性樹脂が水蒸発用部材２０として得られる。その後、成型型枠Ｍから取り外された水蒸発用部材２０の表面には、水蒸発用部材２０の表面で水が弾かれるのを抑制するために親水性塗料が塗布される。
【０１１５】
（変形例６）
図１５（ａ）は、実施形態１の給水管１０ａとは構造の異なる給水管を示す。
【０１１６】
実施形態１の加湿装置１００では、給水管１０ａの下端面に散水ノズル１０ｂが取り付けられているが、給水管１０ａから水を流出させる水流出孔１１は、図１５（ａ）に示すように給水管１０ａの上端面に形成してもよい。この場合、給水管１０ａに供給された水は、給水管１０ａ内が全体的に水で一杯になってから給水管１０ａの個々の水流出孔１１から流出するので、給水管１０ａの下側に水流出孔が形成されている場合に比べて、給水管１０ａの個々の水流出孔１１からの水の流出量を均一にすることができる。また、給水管１０ａの水流出孔１１から流出した水は給水管１０ａの表面を伝って水蒸発用部材２０へ落下するので、水が水流出孔１１から出てから給水管１０ａの表面を伝わって給水管１０ａの下端面から落下するまでの時間を、加湿装置１００の筐体１００ａ内での水の滞留時間として確保できる。これにより、加湿装置１００の筐体１００ａ内で流下する水が筐体１００ａに滞留する時間を長くでき、加湿性能が高められる。さらに、給水管１０ａには、図１５（ａ）に示すように堰（フランジ）１２を形成してもよく、この場合、給水管１０ａが傾いている場合でも、水流出孔１１から流出した水が給水管１０ａの一端から流れ落ちてしまうのが回避される。なぜなら、給水管１０ａの外周面に沿って傾斜方向に流れる水がフランジ１２により堰き止められるからである。
【０１１７】
（変形例７）
さらに、実施形態１では、給水部は複数の給水管を有しているが、給水部を構成する給水管は１つであってもよい。
【０１１８】
図１５（ｂ）は、実施形態１の変形例７による加湿装置を説明するための図であり、加湿装置の給水部を構成する１つの給水管７１１の一例を示す。
【０１１９】
この変形例７による加湿装置は、実施形態１の加湿装置１００における給水管１０ａに代えて、給水管１０ａとは構成が異なる給水管７１１を備えたものである。この給水管７１１は、水蒸発用部材２０の配置領域上の全体に広がるように折り返して配置されている。この給水管７１１の上端面には水流出孔７１２が形成され、給水管７１１の外周面には堰（フランジ）７１３が形成されている。給水管７１１の両端は、接合部材７１４により水供給パイプ１ａに接続されている。
【０１２０】
また、実施形態１の変形例７で示した給水管７１１は、給水管７１１の両端に接続された水供給パイプ１ａから水が供給されるように構成されており、この給水管７１１の水流入口は２か所である。このような構成の給水管では、給水管が長い場合には、加湿装置での加湿効率の低下が許容範囲を超える程度に、複数の水流出孔７１２から流出する水の量の均一性が劣化することがある。なぜなら、給水管７１１の水流入口（供給管７１１の両端の、水供給パイプが接続された部分）から遠ざかるにつれて水流出孔７１２から流出する水の量が減少するので、給水管が長い場合には、水流入口に近い部分と水流入口に遠い部分とで水流出孔７１２から流出する水の量の差が大きくなり、加湿効率が許容範囲を下回ってしまうからである。
【０１２１】
そこで、水蒸発用部材２０の配置領域上の全体に広がるように配置される給水管は、例えば、水流入口から最も近くに位置する水流出孔から流出する水の量と、水流入口から最も遠くに位置する水流出孔から流出する水の量との差が、加湿効率が許容範囲より低下しないように水流入口を配置した構造とする必要があり、以下このような構造を有する給水管を備えた加湿装置を、実施形態１の変形例８による加湿装置として説明する。
【０１２２】
（変形例８）
図１６は、実施形態１の変形例８による加湿装置を説明するための図であり、加湿装置の給水部７００を構成する給水管の構造を示している。図１７は、給水管の給水枝管（図１６のＸ部分）を説明するための図であり、図１７（ａ）は、給水枝管を拡大して示し、図１７（ｂ）は、図１７（ａ）のＹａ−Ｙａ線断面の構造を示し、図１７（ｃ）は、図１７（ｂ）のＹｂ−Ｙｂ線断面の構造を示す。
【０１２３】
この実施形態１の変形例８による加湿装置は、実施形態１の加湿装置１００の給水部１０に代えて、この給水部１０とは給水管の構成が異なる給水部７００を備えたものである。
【０１２４】
この給水部７００は、給水管として、水蒸発用部材２０の配置領域Ｒ上に配置された一対の給水幹管７３０ａおよび７３０ｂと、一対の給水幹管７３０ａおよび７３０ｂの少なくとも一方に接続された複数の給水枝管７４０ａ、７４０ｂ、７４０ｃとを有する。
【０１２５】
ここで、一対の給水幹管７３０ａおよび７３０ｂは、水蒸発用部材２０の長手方向と直交するように互いに平行に配置されている。給水幹管７３０ａ、７３０ｂはそれぞれ、配置領域Ｒの両端（紙面の左端、右端）から配置領域Ｒの幅方向（紙面左右方向）の寸法の３分の１程度離れた位置に配置されている。給水幹管７３０ａには、その一端側から給水幹管７３０ａの長さの３分の１程度離れた位置に１つの水流入口７３１ａが設けられ、その他端側から給水幹管７３０ａの長さの３分の１程度離れた位置にもう１つの水流入口７３２ａが設けられている。これらの水流入口７３１ａ、７３２ａには水供給パイプ１ａが接続されるようになっている。給水幹管７３０ａの両側面には、給水枝管を連結するための連結フランジ７３３ａおよび７３４ａが形成されている。さらに、給水幹管７３０ａの両端は塞がれており、給水幹管７３０ａの両端部には、給水幹管７３０ａを加湿装置１００の蓋部材２１０の蓋本体２１１（図７（ｂ）参照）に取り付けるための取付部７３５ａが形成されている。取付部７５３ａには、取付部７５３ａを蓋本体２１１にビスなどで止めるための孔Ｈｂが形成されている。また、もう１つの給水幹管７３０ｂにも、給水幹管７３０ａと同様に、水流入口７３１ｂ、７３２ｂ、連結フランジ７３３ｂ、７３４ｂおよび取付部７３５ｂが形成されている。
【０１２６】
また、水蒸発用部材２０の配置領域Ｒ上の領域は、一対の給水幹管７３０ａおよび７３０ｂの間に位置する中央領域Ｒ１と、一方の給水幹管７３０ａに対して中央領域Ｒ１と反対側に位置する一方側領域Ｒ２と、他方の給水幹管７３０ｂに対して中央領域Ｒ１と反対側に位置する他方側領域Ｒ３とに区分されている。
【０１２７】
中央領域Ｒ１には、第１グループの複数の給水枝管７４０ａが給水幹管７３０ａ、７３０ｂと直交するように配置され、それぞれの給水枝管７４０ａの一端が一方の給水幹管７３０ａの連結フランジ７３３ａに連結され、それぞれの給水枝管７４０ａの他端が他方の給水幹管７３０ｂの連結フランジ７３３ｂに連結されている。一方側領域Ｒ２には、第２グループの複数の給水枝管７４０ｂが給水幹管７３０ａに直交するように配置され、給水枝管７４０ｂの一端が給水幹管７３０ａの連結フランジ７３４ａに連結され、給水枝管７４０ｂの他端がキャップ部材７５０ａの蓋部７５３ａにより塞がれている。他方側領域Ｒ３には、第３グループの複数の給水枝管７４０ｃが給水幹管７３０ｂと直交するように配置され、給水枝管７４０ｃの一端が給水幹管７３０ｂの連結フランジ７３４ｂに連結され、給水枝管７４０ｃの他端がキャップ部材７５０ｂの蓋部７５３ｂにより塞がれている。
【０１２８】
例えば、第１グループの給水枝管７４０ａの上面には、図１７（ａ）〜図１７（ｃ）に示すように水流出孔７４１が形成されている。このように水流出孔７４１を給水枝管７４０ａの上面に形成することにより、給水幹管の水流入口に近い水流出孔７４１と、給水幹管の水流入口から遠い水流出孔７４１との間での水流出量の差を小さくできる。また、給水枝管７４０ａの水流出孔７４１は、流下手段１２０を構成する複数の水蒸発用部材２０の縦列（図２のＶ方向に水蒸発用部材２０が並ぶ列）の真上に配置されている。このように水流出孔７４１を水蒸発用部材２０の縦列の真上に配置することにより、給水幹管７５０ａから流出した水が水蒸発用部材２０上に落下しやすくなる。
【０１２９】
なお、第２、第３グループの給水枝管７４０ｂ、７４０ｃも第１グループの給水枝管７４０ａと同じ構造を有する。
【０１３０】
給水幹管７３０ａ、７３０ｂおよび給水枝管７４０ａ〜７４０ｃにはアルミパイプが用いられており、キャップ部材７５０ａ、７５０ｂは樹脂で形成されている。ただし、給水幹管、給水枝管、キャップ部材を構成する材料は上記のものに限定されない。
【０１３１】
ここで、キャップ部材７５０ａ、７５０ｂは、給水幹管７３０ａ、７３０ｂと同様に蓋部材２１０の蓋本体２１１（図７（ｂ）参照）に取り付けられるように構成されている。具体的には、キャップ部材７５０ａ、７５０ｂの両端には端部取付部７５１が形成されており、キャップ部材７５０ａ、７５０ｂの中央付近には中央取付部７５２が形成されており、端部取付部７５１および中央取付部７５２には、これらを蓋本体２１１にビスなどで止めるための孔Ｈｂが形成されている。
【０１３２】
このような構成の実施形態１の変形例８では、複数の水蒸発用部材２０の配置領域Ｒ上に配置される給水管を、対向する２つの給水幹管７３０ａおよび７３０ｂと、水流出孔を有する複数の給水枝管７４０ａ〜７４０ｃとで構成し、給水管には、各給水幹管７３０ａ、７３０ｂの中間部分の２か所から水が流入するようにしたので、実施形態１のように上記配置領域Ｒに平行に配置された複数の給水管の一端側にのみから水が流入する場合に比べて、給水管に水が流入する位置から給水管から水が流出する位置までの最大距離を短くすることが可能となる。これにより複数の水流出孔から流出する水の量を均一化することができる。また、変形例８の構成の給水管では、変形例７のように１つの給水管が水蒸発用部材２０の配置領域上の全体に広がるように折り返して配置され、給水管の両端から水が流入する場合と比べると、給水管の複数の水流出孔から流出する水の量の均一化の効果は顕著である。
【０１３３】
なお、上記実施形態１の変形例８では、給水幹管として２つの水流入口が形成されたものを示したが、個々の給水幹管に形成する水流入口は２つに限定されるものではなく、３つ以上でもよく、給水幹管に連結される給水枝管の複数の水流出孔７１２から流出する水の量の均一性が、加湿装置での加湿効率の低下が許容範囲内に収まる程度に確保できればよい。
【０１３４】
また、上記実施形態１の変形例８では、給水枝管として円筒形状のものを示したが、給水枝管は、図１５（ａ）に示す給水管のように、堰を個々の水流入口の両側に位置するように形成したものでもよい。
【０１３５】
さらに、給水枝管は、図１０に示す水蒸発用部材の形状と同様に、給水枝管の下端面が長手方向に波型を有するものでもよい。
【０１３６】
この場合、波型の頂点の位置は、給水枝管の下側に配置されている水蒸発部材の位置と一致した位置とすることにより、給水枝管の水流出孔から流出した水は、給水枝管の下端面では波型の頂点に集まることとなり、給水枝管の水流出孔から出た水は、水蒸発用部材により落下しやすくなる。
【０１３７】
上述した構成の加湿装置では、水蒸発用部材は、水が滲み込む部材で構成したものでも水が滲み込まない部材で構成したものでもどちらでもよいが、滲み込まない部材を用いる場合には、必ずしも、流下する水に下方から上方へ対向する外気流が接触する構成を採用する必要がなく、加湿装置は、水蒸発用部材に任意の方向から外気流が接触するように構成したものでよい。
【０１３８】
そこで以下、実施形態２として水が滲み込む水蒸発用部材を用いた加湿装置を説明する。
【０１３９】
（実施形態２）
図１８は、本発明の実施形態２による加湿装置８００を説明するための図であり、図１８（ａ）は、加湿装置の外観を示し、図１８（ｂ）は、加湿装置の構成を模式的に示している。
【０１４０】
この実施形態２の加湿装置８００は、実施形態１の加湿装置１００における複数の水蒸発用部材２０に代えて、水が滲み込まない部材で構成した複数の水蒸発用部材８０を備えたものである。ここで、水蒸発用部材８０は、樹脂成型品（プラスチック成型品）であり、その表面には親水性塗料が塗布されている。水蒸発用部材８０の外形形状は実施形態１の加湿装置１００の水蒸発用部材２０と同一であり、複数の水蒸発用部材８０は実施形態１の水蒸発用部材２０と同様に、給水部１０から供給された水を流下させる流下手段１８０を構成する。また、流下手段１８０を構成する水蒸発用部材の個数は構成の簡略化のために１つとしてもよいが、ここでは、流下手段１８０は、水の蒸発効率が高まるように複数の水蒸発用部材８０で構成されている。
【０１４１】
このように水が滲み込まない材料で構成した水蒸発用部材８０を用いた加湿装置８００は、実施形態１の加湿装置１００のように、流下する水に下方から上方へ対向する外気流が接触する構成を採用したものであってもよいが、必ずしもそのような構成を採用する必要はなく、任意の方向から水蒸発用部材８０に外気流が接触する構成を採用することができる。この加湿装置８００では、流下する水Ｗに対して横方向から外気流Ａｇが接触する構成を採用している。
【０１４２】
具体的には、この実施形態８の加湿装置８００では、その筐体８００ａの対向する側面に、筐体８００ａ内に外気（空気）Ａｄを取り入れるための外気流出口８０２ａ、および筐体８００ａ内から外気（空気）Ａｗを流出させるための外気流入口８０１ａが形成されている。
【０１４３】
さらに水流出部８３０は、実施形態１の水流出部３０のように外気流を通過させるものではなく、単に、水蒸発用部材８０から流れ落ちた水が加湿装置８００の筐体８００ａの外部に流れ出るようにしたものである。
【０１４４】
この実施形態８の加湿装置８００におけるその他の構成は、実施形態１の加湿装置１００と同一である。
【０１４５】
この実施形態２の加湿装置では、水蒸発用部材８０は水が滲み込まない部材で構成されているので、水蒸発用部材８０に供給された水が水蒸発用部材８０に滲み込むことはない。従って、水に溶解している溶融塩成分が水蒸発用部材８０に滲み込んでその析出により固形化することはなく、水蒸発用部材８０に水が滲み込んでその溶融塩成分が固形化することによる加湿性能の劣化を回避することができ、また、水蒸発用部材８０に水が滲み込んで滞留することによる黴や雑菌の繁殖などの水由来の腐敗を防止することができる。しかも水蒸発用部材８０に供給された水に外気流を当てることにより外気の加湿を行うので、外気中に水を噴霧することで外気の加湿を行う場合のように水が液体の状態で空気中に放出されることはなく、外気を水とともに放出されるスケール（溶融塩成分の析出物）などで汚すことはない。
【０１４６】
（実施形態３）
図１９は、本発明の実施形態３による換気装置を説明するための図であり、全熱交換器に加湿装置を組み合わせて得られた換気装置の構成を模式的に示す。
【０１４７】
この換気装置１０００は、住宅などの建物１００１の壁１００１ａに取り付けられた全熱交換器１５００と、全熱交換器１５００の吸気管１５０１に取り付けられた加湿装置１１００とを有する。この加湿装置１１００は建物１００１の室内１００２を加湿するものであり、実施形態１の加湿装置１００と同一の構成を有する。ただし、加湿装置１１００は実施形態２の加湿装置８００と同一の構成を有するものでもよい。
【０１４８】
このような構成の換気装置１０００では、全熱交換器１５００により、排気管１５０２を通して室内１００２から室外１００３へ排出される排出空気（室内空気）Ａ０の熱が、吸気管１５０１を通して室外１００３から室内１００２に吸入される吸入空気（外気）Ａ１に移動する。吸気管１５０１を通って外気が室内１００２に入り込むとき、外気Ａ１は加湿装置１１００内を通過し、加湿装置１１００により加湿されて室内１００２に入る。
【０１４９】
これにより、換気の際に室内１００２の温度が変化するのを抑えて、室内１００２に吸入される外気Ａ１の湿度を調整することが可能となる。
【０１５０】
なお、上記各実施形態では、すべての給水管１０ａへの給水を１つの給水制御弁Ｖ１で一括して制御しているが、例えば、複数の給水管１０ａをいくつかのグループに分けて、グループ毎に給水の制御を行ってもよい。また、給水管１０ａの配置は、複数の水蒸発用部材の上側のみに限定されず、複数の水蒸発用部材の配列における垂直方向の中間位置にも給水管を配置してもよい。
【０１５１】
また、複数の水蒸発用部材への給水および給水停止は、すべての水蒸発用部材に対して一括して行う場合に限定されず、複数の水蒸発用部材をグループ分けし、それぞれのグループ毎に給水部を設け、それぞれの給水部により対応するグループの水蒸発用部材への給水および給水停止を独立して行ってもよい。この場合、１つの給水部によるすべての水蒸発用部材に対する給水時間および給水停止時間を制御する方法に比べて、加湿量の調整をよりきめ細かく行うことができるという点で優位である。
【０１５２】
また、水蒸発用部材への給水は散水に限定されず、水を霧（ミスト）状にして水蒸発用部材に吹き付けて給水してもよい。この場合、給水管を複数の水蒸発用部材の下側に配置し、それぞれの給水管に設けた噴霧ノズルから霧状の水を複数の水蒸発用部材に向けて上方に吹き付けてもよく、この場合でも、水が供給された水蒸発用部材では水は上から下に流下することとなる。
【０１５３】
また、水蒸発用部材へ供給する水は、フレッシュな水道水に限定されず、水蒸発用部材へ供給する水には加湿装置の内部でポンプにより循環させる循環水を用いてもよく、さらにフレッシュな水道水と循環水の両方を用いてもよい。ポンプにより水を循環させて水蒸発用部材への散水を行う加湿装置では、散水を停止している期間にポンプを停止させることで、ポンプ作動に要する電力を削減できる。例えば、散水時間を６秒とし、散水停止時間を３分とする散水制御は、循環させる水量の削減、スケールの付着の最小化、ポンプ電力の最小化を考慮した望ましい制御パターンの１つであることが１つの試験データとして得られている。
【０１５４】
フレッシュな水の供給による散水と、加湿装置内での循環水の供給による散水のいずれの場合でも、加湿装置の筐体から排出する水量は、水道管から散水のための使い捨ての水（循環させない水）としてあるいは散水のための新たな循環水として加湿装置の筐体内に供給する水道水の量で制御可能であり、給水と水の排出とにより、加湿装置１００内での水中に含まれる溶融塩成分の濃縮を少なくすれば、溶融塩成分がスケールとなる量を抑制することができる。ただし、水道水を多量に供給すればスケールの発生は防止できるが、水道水の使用量が増えることになるので、最適な供給量の選定が重要である。例えば、散水および散水停止は、加湿装置からの水の排出量が加湿装置への水の供給量の一定量％以下になるように給水制御弁Ｖ１の開閉時間を定めて制御することができる。なお、給水制御弁Ｖ１の開閉時間は、開閉バルブへ供給する水道水の供給圧力の高低に応じて自動あるいは手動で調整可能であることが望ましい。
【０１５５】
さらに、給水の方法は水蒸発用部材の表面の濡れる面積割合に影響するため、細心の配慮が必要で、散水ノズルあるいは水流出孔を増して給水箇所を増やすことが、水蒸発用部材の表面の濡れる部分の面積割合を増やすことに有効である。
【０１５６】
以上のように、本発明の好ましい実施形態を用いて本発明を例示してきたが、本発明は、これらの実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【０１５７】
本発明は、加湿装置および換気装置の分野において、水の溶融塩成分の析出による加湿性能の劣化、あるいは水由来の腐敗による雑菌やウィルスの拡散や悪臭の発生を、流下する水に下方から上方へ対向する外気流が接触する構成により抑制することができる加湿装置等、およびこのような加湿装置を用いた換気装置等を提供できるものとして有用である。
【０１５８】
特に、本発明によれば、優れた実用性を備えた加湿装置が商品化でき、住宅、病院、ケアハウス、ホテル、美容院など高度な湿度環境を必要とし得る場所で使用できる加湿装置の製造、販売を実現でき、従来難しかったさらに高度なサービス商品として医療環境、住環境サービスの分野に利用拡大可能である。
【符号の説明】
【０１５９】
１  水道管
１ａ  水供給パイプ
１０、７００  給水部
１０ａ、７１１  給水管
１０ｂ  散水ノズル
１１、７１２  水流出孔
２０、２５、２６、５０、６０、８０  水蒸発用部材
２０ａ、５０ａ  上部平坦面
２１、５１  中央凹状溝（線状溝）
２２ａ、２２ｂ、５２ａ、５２ｂ  線状突起部
２３ａ、２３ｂ、５３ａ、５３ｂ  側縁切欠溝
２４  下端部
２５ａ  波型部分
２５ｂ、５５  凸部
２６ａ、５６  堰
３０、８３０  水流出部
３０ａ  集水部
３０ｂ  水路部
３１ａ  上受皿
３１ｂ  水受部
３２ａ  中受皿
３２ｂ  樋部
３３ａ  下受皿
６０ａ  丸棒形状
６１  浅い凹型溝
６２、６６  平坦部
６３  縦壁部
６４、６５  Ｖ字溝
１００、８００、１１００  加湿装置
１００ａ、８００ａ  筐体
１０１  上面部
１０１ａ、８０１ａ  外気流出口
１０２  底面部
１０２ａ、８０２ａ  外気流入口
１０２ｂ  水溜部
１０３  水流出パイプ
１１０  制御部
１２０、１８０  流下手段
２００  換気ダクト
２０１  基幹ダクト
２０２  枝ダクト
２０３  分岐部
２１０  蓋部材
２１１  蓋本体
２１２  ダクト連結部
３１１、３２２、３３２  排水穴
３２１、３３１  通気開口
５００ａ  水蒸発用部材ユニット
５０１  水蒸発用部材支持枠
７１３  フランジ（堰）
７１４  接合部材
７３０ａ、７３０ｂ  給水幹管
７３１ａ、７３１ｂ、７３２ａ、７３２ｂ  水流入口
７４０ａ、７４０ｂ、７４０ｃ  給水枝管
７５０ａ、７５０ｂ  キャップ部材
１０００  換気装置
１００１  建物
１００１ａ  壁
１００２  室内
１００３  室外
１５００  全熱交換器
１５０１  吸気管
１５０２  排気管
Ａ０  排出空気
Ａ１  吸入空気
Ａｄ、Ａｗ  外気
Ａｆ、Ａｇ  外気流
Ｍ  成型型枠
Ｍａ  上型枠
Ｍｂ  下型枠
Ｒ  水蒸発用部材の配置領域
Ｒ１  中央領域
Ｒ２  一方側領域
Ｒ３  他方側領域
Ｓｒ  成型スペース
Ｖ１  給水制御弁
Ｖ２  減圧弁
Ｖａ  水蒸気
Ｗ  水（水道水）
【図１】
2016114348.tif 000003
【図２】
2016114348.tif 000004
【図３】
2016114348.tif 000005
【図４】
2016114348.tif 000006
【図５】
2016114348.tif 000007
【図６】
2016114348.tif 000008
【図７】
2016114348.tif 000009
【図８】
2016114348.tif 000010
【図９】
2016114348.tif 000011
【図１０】
2016114348.tif 000012
【図１１】
2016114348.tif 000013
【図１２】
2016114348.tif 000014
【図１３】
2016114348.tif 000015
【図１４】
2016114348.tif 000016
【図１５】
2016114348.tif 000017
【図１６】
2016114348.tif 000018
【図１７】
2016114348.tif 000019
【図１８】
2016114348.tif 000020
【図１９】
2016114348.tif 000021